(57)【特許請求の範囲】
【請求項１】
建物の外壁を構成する外壁パネルに、上階から下階まで連続し且つ外壁表面よりも引っ込んだ凹部を形成し、該凹部の底面である引っ込み面に窓取付用開口部を形成して、該窓取付用開口部に窓サッシを取り付けたことを特徴とする建物の開口構造。
【請求項２】
前記上階から下階まで連続して延びる凹部の両内側面と前記窓取付用開口部の内側面とを連続した平面で構成し、該平面に外壁表面と同一のレリーフを形成したことを特徴とする請求項１記載の建物の開口構造。
【請求項３】
前記凹部の底面である引っ込み面に、前記窓取付用開口部に取り付けた窓サッシと同色・同素材の面板を張り付けたことを特徴とする請求項２記載の建物の開口構造。
【請求項４】
前記窓取付用開口部の屋内側の周縁部に、外壁パネルの内面よりも屋内側に突出し且つ窓取付用開口部の周縁部全周にわたって連続した窓サッシ取付部を設け、該窓サッシ取付部に窓サッシを取り付けたことを特徴とする請求項１〜３のいずれかに記載の建物の開口構造。
【発明の詳細な説明】
【０００１】
【発明の属する技術分野】
本発明は、建物の外壁を構成する外壁パネルに窓取付用開口部を形成し、該窓取付用開口部に窓サッシを取り付けた建物の開口構造に関する。
【０００２】
【従来の技術】
建物の外壁材に対して小窓などの窓サッシを取り付けた開口構造は、特開平７−９１９２２号公報や特開平５−１４９６０５号公報などに記載されている。
【０００３】
一般的には、外壁パネルに窓サッシを取り付ける場合、フラットな外壁表面に開口を形成して単に窓サッシを嵌め込んだり、出窓として設けることが多い。
【０００４】
【発明が解決しようとする課題】
しかし、フラットな外壁表面に開口を形成して単に窓サッシを嵌め込むだけでは、デザイン的な変化を演出できない上に、外壁が薄く見えてしまい、重厚感が出せない。また、出窓にした場合は、外壁表面に突出物が出るわけであるから、外観意匠性が悪くなる。
【０００５】
本発明は、上記事情を考慮し、出窓のような出っ張りをなくし、且つ、デザイン的な変化を出せると共に、外壁を厚く見せて重厚感を出すことのできる建物の開口構造を提供することを目的とする。
【０００６】
【課題を解決するための手段】
請求項１の発明は、建物の外壁を構成する外壁パネルに、上階から下階まで連続し且つ外壁表面よりも引っ込んだ凹部を形成し、該凹部の底面である引っ込み面に窓取付用開口部を形成して、該窓取付用開口部に窓サッシを取り付けたことを特徴とする。
【０００７】
この構造では、外壁パネルに上階から下階まで連続した凹部があるので、出窓のような一部だけ出っ張った部分がなくなり、外観意匠が良くなる。また、凹部の底面である引っ込み面に窓取付用開口部を設け、該窓取付用開口部に窓サッシを取り付けており、窓サッシが外壁表面よりも引っ込んだ位置に取り付いているので、実際の外壁の厚みよりも外壁が厚く見えるようになり、外壁の重厚感が増す。
【０００８】
請求項２の発明は、請求項１において、前記上階から下階まで連続して延びる凹部の両内側面と前記窓取付用開口部の内側面とを連続した平面で構成し、該平面に外壁表面と同一のレリーフを形成したことを特徴とする。
【０００９】
この構造では、凹部の両内側面と窓取付用開口部の内側面とを連続した平面で構成（面一に構成）した上に、その平面に外壁表面と同じレリーフを形成しているので、壁の模様の連続性を持たせることができる。
【００１０】
請求項３の発明は、請求項２において、前記凹部の底面である引っ込み面に、前記窓取付用開口部に取り付けた窓サッシと同色・同素材の面板を張り付けたことを特徴とする。
【００１１】
この構造では、凹部の底面に貼り付けた面板と窓サッシとが同色・同素材でできているので、上下階連続して窓サッシがあるように見える。
【００１２】
請求項４の発明は、請求項１〜３のいずれかにおいて、前記窓取付用開口部の屋内側の周縁部に、外壁パネルの内面よりも屋内側に突出し且つ窓取付用開口部の周縁部全周にわたって連続した窓サッシ取付部を設け、該窓サッシ取付部に窓サッシを取り付けたことを特徴とする。
【００１３】
この構造では、窓取付用開口部の屋内側の周縁部に更に屋内側へ突出した窓サッシ取付部を形成し、そこに窓サッシを取り付けているので、更に奥まった位置に窓サッシが位置することになり、外壁を一層厚く見せることができる。
【００１４】
【発明の実施の形態】
以下、本発明の実施形態を図面に基づいて説明する。
図１は実施形態の建物の開口構造の概略構成を示す斜視図、図２は図１のＩＩ−ＩＩ矢視断面の詳細図、図３は図１のＩＩＩ−ＩＩＩ矢視断面の詳細図、図４は図１のＩＶ−ＩＶ矢視断面の詳細図である。
【００１５】
図１において、１は上階部分の外壁を構成する外壁パネル、２は下階部分の外壁を構成する外壁パネルである。上下階の外壁パネル１、２は、図３、図４に示すように両端が柱４０に固定されており、上下階の外壁パネル１、２には、上階から下階まで連続し且つ外壁表面Ｓよりも引っ込んだ所定幅の凹部５が設けられている。凹部５の底面である引っ込み面５ａには矩形の窓取付用開口部６が形成され、その窓取付用開口部６の屋内側に窓サッシ１０が取り付けられている。
【００１６】
窓取付用開口部６は凹部５の幅いっぱいに形成されており、凹部５の両内側面５ｂと窓取付用開口部６の内側面６ｂとが連続した平面で構成されている。つまり凹部５の両内側面５ｂと窓取付用開口部６の内側面６ｂは面一となっている。そして、面一となった面にも、外壁表面Ｓと同一のレリーフ（表面の凹凸模様）７が形成されている。また、凹部５の底面である引っ込み面５ａには、窓取付用開口部６に取り付けた窓サッシ１０と同色且つ同素材の面板（アルミパネル）８が貼り付けられている。面板８は、図４に示すように、接着剤３２で引っ込み面５ａの表面に貼り付けられると共に、両端部がビス３１により引っ込み面５ａに止められている。符号２１で示すものは、面板８の幅方向両端に設けられた端部キャップである。
【００１７】
なお、外壁パネル１、２の材質は、（１）ＳｉＯ2 −Ａｌ2 Ｏ3 系反応性無機質粉体と、（２）アルカリ金属珪酸塩と、（３）水とを主成分とするものであって、具体的配合は以下の通りである。
粉砕メタカオリン    １００重量部
珪酸カリウム        １６５重量部
ワラストナイト      １００重量部
硅砂                １００重量部
ビニロン                ２重量部
水                    １０重量部
ステアリン酸亜鉛        ３重量部
上記の無機質成形組成物をミキサーで混合し、型に注入して外壁パネル１、２を得ている。
【００１８】
図２、図３に示すように、窓取付用開口部６の屋内側の周縁部に、外壁パネル１(２)の内面１ａよりも屋内側に突出し且つ窓取付用開口部６の周縁部全周にわたって連続した窓サッシ取付部９が形成されており、この窓サッシ取付部９に窓サッシ１０が取り付けられている。
【００１９】
窓サッシ１０は、図５（ａ）に示すように、下端を窓サッシ取付部９の下端に位置合わせした後、その上端を窓サッシ取付部９の上端に向けて押し込むことにより、窓取付開口部６に嵌合させ、図５（ｂ）に示すように、ディジリベットやタッピングビス等の固定部材３０を用いて窓サッシ取付部９に固定されるようになっている。
【００２０】
窓サッシ１０は、上枠１１ａと下枠１１ｂと一対の縦枠１１ｃとからなる枠状のサッシ本体１１を備え、このサッシ本体１１には、窓ガラス１２が嵌め込まれている。サッシ本体１１の上下枠１１ａ、１１ｂ及び縦枠１１ｃは、窓サッシ取付部９の屋内側の面に当接係止可能なフランジ部１３と、窓取付開口部９内へ嵌合可能な挿入部１４とをそれぞれ持っており、窓サッシ取付部９の屋内側の面とサッシ本体１１のフランジ部１３との間には、発泡ゴム等の水密材１５が介在されている。また、サッシ本体１１の挿入部１４の外周と窓取付用開口部６の内面との間には、定形シーリング材１６が介在されている。
【００２１】
また、窓取付用開口部６の下端における少なくとも屋外側の部分には、屋外側へ向かうに従い下り傾斜した排水用勾配部６ａが設けられており、その排水用勾配部６ａを覆うように、サッシ本体１１の下枠１１ｂにおける挿入部１４の先端（屋外側の端部）に水切り部１７が設けられている。また、窓取付用開口部６の両側下部と水切り部１７との間に、図３、図６に示すように、水切り端部キャップ１８が挿入されている。この水切り端部キャップ１８は、アルミ材またはナイロン等の樹脂で構成され、窓取付用開口部６側の面に発泡ゴム製の水密材１９を両面テープなどで貼り付けておくことにより、脱落しないように取り付けられている。なお、図２、図３、図４において、符号２５で示すものは内壁パネルである。
【００２２】
以上の構成の開口構造では、建物の外壁を構成する外壁パネル１、２に、上階から下階まで連続した凹部５を設け、凹部５の底面である引っ込み面５ａに窓取付用開口部６を形成し、窓取付用開口部６の屋内側に突設した窓サッシ取付部９に窓サッシ１０を取り付けているので、出窓のような一部だけ出っ張った部分がなくなり、外観意匠が良くなる。また、窓サッシ５が外壁表面Ｓよりも引っ込んだ位置に取り付いているので、実際の外壁の厚みよりも外壁が厚く見えるようになり、外壁の重厚感が増す。
【００２３】
また、凹部５の両内側面５ｂと窓取付用開口部６の内側面６ｂとが面一になっており、その面一になった面に、外壁表面Ｓと同じレリーフ７が形成されているので、壁の模様の連続性を持たせることができ、見栄えが良くなる。また、窓サッシ１０を取り付けていない凹部５の引っ込み面５ａにも、窓サッシ１０と同色且つ同素材の面板（アルミパネル）８を貼り付けているので、上下階連続して窓サッシ１０があるように見え、見栄えが良くなる。
【００２４】
以上、本発明の実施形態を説明したが、本発明は上記実施形態に限定されるものではなく、本発明の要旨を逸脱しない範囲の設計変更等があっても本発明に含まれる。例えば、窓取付用開口部６は必ずしも凹部５の幅いっぱいに形成しなくてもよいし、レリーフ７を凹部５の内側面５ｂや窓取付用開口部６の内側面６ｂに形成しなくてもよい。
【００２５】
【発明の効果】
以上説明したように、請求項１の発明によれば、建物の外壁を構成する外壁パネルに上階から下階まで連続した凹部を設け、凹部の底面である引っ込み面に窓取付用開口部を形成し、該窓取付用開口部に窓サッシを取り付けているので、出窓のような一部だけ出っ張った部分がなくなり、外観意匠が良くなる上、窓サッシが外壁表面よりも引っ込んだ位置に位置することになるので、実際の外壁の厚みよりも外壁が厚く見えるようになり、外壁の重厚感が高まる。
【００２６】
請求項２の発明によれば、凹部の両内側面と窓取付用開口部の内側面とを面一にし、その面一の面にも外壁表面と同じレリーフを形成したので、外壁の模様の連続性を持たせることができ、見栄えが良くなる。
【００２７】
請求項３の発明によれば、窓サッシを取り付けていない凹部の引っ込み面に窓サッシと同色・同素材の面板を貼り付けたので、上下階連続して窓サッシがあるように見え、見栄えが良くなる。
【００２８】
請求項４の発明によれば、窓取付用開口部の屋内側の周縁部に更に屋内側へ突出した窓サッシ取付部を形成して、そこに窓サッシを取り付けたので、更に引っ込んだ位置に窓サッシを位置させることができ、外壁を一層厚く見せることができて、外壁に重厚感を高めることができる。
【図面の簡単な説明】
【図１】本発明の実施形態の建物の開口構造の概略構成を示す斜視図である。
【図２】図１のＩＩ−ＩＩ矢視断面の詳細図である。
【図３】図１のＩＩＩ−ＩＩＩ矢視断面の詳細図である。
【図４】図１のＩＶ−ＩＶ矢視断面の詳細図である。
【図５】（ａ）、（ｂ）は窓サッシの取付要領を示す斜視図である。
【図６】窓サッシの下部の排水構造を示す斜視図である。
【符号の説明】
Ｓ  外壁表面
１，２  外壁パネル
１ａ  内面
５  凹部
５ａ  引っ込み面
５ｂ  内側面
６  窓取付用開口部
６ｂ  内側面
７  レリーフ
８  面板
９  窓サッシ取付部
１０  窓サッシ
【図１】
0004128708.tif 000002
【図２】
0004128708.tif 000003
【図３】
0004128708.tif 000004
【図４】
0004128708.tif 000005
【図５】
0004128708.tif 000006
【図６】
0004128708.tif 000007